(57)【要約】      （修正有）【課題】本発明の目的は、棚板を支持する際の剛性を維持しながら棚板を容易に取り外すことを可能とした棚板支持具を提供することである。【解決手段】本発明の棚板支持具１ａは、家具本体に棚板を取り付けるための棚板支持具であって、前記棚板を載置するための平坦面を有する棚板載置部１１と、前記棚板載置部１１に対して垂直に設けられた棚板当接部１２と、前記棚板載置部の前記平坦面から下方へ傾斜し、前記棚板載置部１１と前記棚板当接部１２との間に設けられた傾斜支持部１３とを備えることを特徴とする。【選択図】図２
2018094223.tif 000002
【特許請求の範囲】
【請求項１】
家具本体に棚板を取り付けるための棚板支持具であって、
前記棚板を載置するための平坦面を有する棚板載置部と、
前記棚板載置部に対して垂直に設けられた棚板当接部と、
前記棚板載置部の前記平坦面から下方へ傾斜し、前記棚板載置部と前記棚板当接部との間に設けられた傾斜支持部と
を備えることを特徴とする棚板支持具。
【請求項２】
前記棚板当接部及び前記傾斜支持部それぞれの側端面と一体に連結された薄板状のリブを更に備える
ことを特徴とする請求項１に記載の棚板支持具。
【請求項３】
前記棚板当接部は、前記棚板と当接する当接面と、その背中側となる前面との厚さが、当該棚板当接部の上方から前記傾斜支持部が設けられた下方へ向かって次第に増すよう形成されている
ことを特徴とする請求項１又は２に記載の棚板支持具。
【発明の詳細な説明】
【技術分野】
【０００１】
本発明は、棚板支持具に関し、特に食器棚、本棚、吊り戸棚又はキャビネット等の家具における棚板を支持する棚板支持具に関する。
【背景技術】
【０００２】
従来、食器棚、本棚、吊り戸棚又はキャビネット等の家具においては、棚板の高さ位置を自由に変更できるものがある。このような家具において、棚板は、家具の壁面に対して着脱自在な棚板支持具によって支持されており、棚板支持具の取付位置を変更することにより、棚板の高さ位置を変更可能である。
【０００３】
棚板支持具として、例えば、棚板を載支する棚板下面支持片と、棚板の側面を支持する側面支持部と、棚板の前端面又は後端面を受け止めるＬ形の弾性係止部と、棚板上縁を係止する係止爪とを備える係止具が開示されている（例えば、特許文献１を参照。）。
【０００４】
また、棚板の下面が載置される棚載置部と、棚板の前後縁部に係止されるストッパー片部と、棚板の上端部を係止する係止片部を備え、係止片部に手掛かり部が形成されている棚受け具が開示されている（例えば、特許文献２を参照。）。
【先行技術文献】
【特許文献】
【０００５】
【特許文献１】特開２０００−１５７３４９号公報
【特許文献２】特開２００１−８７４９号公報
【０００６】
しかしながら、上述した特許文献１の係止具では、棚板を取り外す際に、係止片を引っ張ってＬ形の弾性係止部を撓ませるのに大きな力が必要であり、容易に取り外すことができない。また、上述した特許文献２の棚受け具では、係止爪の上部に大きく突出した手掛かり部が形成されているため、棚板の上に物を収納したり出したりする際に、手掛かり部と接触することが懸念される。
【発明の概要】
【発明が解決しようとする課題】
【０００７】
そこで、本発明は上記事情に鑑みてなされたものであり、棚板を支持する際の剛性を維持しながら棚板を容易に取り外すことを可能とした棚板支持具を提供することを目的とする。
【課題を解決するための手段】
【０００８】
本発明の棚板支持具は、家具本体に棚板を取り付けるための棚板支持具であって、前記棚板を載置するための平坦面を有する棚板載置部と、前記棚板載置部に対して垂直に設けられた棚板当接部と、前記棚板載置部の前記平坦面から下方へ傾斜し、前記棚板載置部と前記棚板当接部との間に設けられた傾斜支持部とを備えることを特徴とする。
【０００９】
前記棚板当接部及び前記傾斜支持部それぞれの側端面と一体に連結された薄板状のリブを更に備えることが好ましい。
【００１０】
前記棚板当接部は、前記棚板と当接する当接面と、その背中側となる前面との厚さが、当該棚板当接部の上方から前記傾斜支持部が設けられた下方へ向かって次第に増すよう形成されていることが好ましい。
【発明の効果】
【００１１】
本発明の棚板支持具は、棚板を支持する際の剛性を維持しながら棚板を容易に取り外すことを可能とした棚板支持具を実現することができる。
【図面の簡単な説明】
【００１２】
【図１】第１実施形態における棚板支持具を備えた家具の全体構成を示す斜視図である。
【図２】第１実施形態における棚板支持具を後方から見たときの構成を示す分解斜視図である。
【図３】第１実施形態における棚板支持具の本体部材を前方から見たときの構成を示す斜視図である。
【図４】第１実施形態の棚板支持具に棚板を載置した状態を示す側面図である。
【図５】（Ａ）は第１実施形態に対応した実施例の棚板支持具の側面図であり、（Ｂ）は従来の棚板支持具の側面図である。
【図６】第２実施形態における棚板支持具を後方から見たときの構成を示す斜視図である。
【図７】第３実施形態における棚板支持具の構成を示す側面図である。
【発明を実施するための形態】
【００１３】
以下、本発明の実施形態について、図面を参照しながら説明する。
【００１４】
［第１実施形態］
＜棚板支持具を備えた家具の全体構成＞
図１に示すように、家具１００は、棚板支持具１（１ａ、１ｂ、１ｃ、１ｄ）を用いて形成されている。
【００１５】
家具１００は、前面が開口した箱状の家具本体２、当該家具本体２の内部に配置される棚板３、及び、棚板３を支持する棚板支持具１（１ａ〜１ｄ）を備えている。家具本体２は、天板２ｕ、左右一対の側板２ｌ、２ｒ、底板２ｔ及び背板２ｚが互いに連結して構成されている。なお、側板２ｌ、２ｒの内側の壁面（以下、これを「内壁面」ともいう。）には、互いに対向する位置に上側から下側へ向かって所定の間隔をあけて形成された複数の挿入孔２ａが設けられている。
【００１６】
以下、説明の便宜上、図１乃至図３の棚板支持具１ａにおいて、左側とは、家具本体２の開口を正面として見たときの矢印ａ方向とし、右側とは、家具本体２の開口を正面として見たときの矢印ｂ方向とする。また前側とは、家具本体２の開口が形成された矢印ｃ方向とし、後側とは、家具本体２の背板２ｚが設けられた矢印ｄ方向とする。さらに、上側とは家具本体２の天板２ｕが設けられた矢印ｅ方向とし、下側とは家具本体２の底板２ｔが設けられた矢印ｆ方向とする。
【００１７】
棚板支持具１（１ａ、１ｂ、１ｃ、１ｄ）は、棚板３の左前側端縁部３ａ、右前側端縁部３ｂ、左後側端縁部３ｃ及び右後側端縁部３ｄの計４箇所を挟み付けた状態で支持する家具１００の一構成部品である。
【００１８】
なお、棚板３の左前側端縁部３ａに用いられる棚板支持具１ａと、棚板３の右前側端縁部３ｂに用いられる棚板支持具１ｂとは互いに左右対称形状である。また、棚板３の左後側端縁部３ｃに用いられる棚板支持具１ｃは棚板支持具１ｂと同じであり、棚板３の右後側端縁部３ｄに用いられる棚板支持具１ｄは棚板支持具１ａと同じである。したがって、以下においては、棚板支持具１ａの構成についてのみ説明し、棚板支持具１ｂ、１ｃ、１ｄの構成についてはその説明を省略する。
【００１９】
＜棚板支持具の全体構成＞
続いて、図２〜図４を参照しながら、第１実施形態における棚板支持具１ａの構成について説明する。
【００２０】
棚板支持具１ａは、本体部１０と、本体部１０の嵌合孔１４１に嵌合された後、家具本体２の挿入孔２ａに挿入可能な軸部材２０とを備える。本体部１０は、軸部材２０を介して家具本体２の挿入孔２ａに着脱自在に取り付けられた状態において棚板３を支持する部材であり、例えばプラスチックや金属等からなる。本体部１０は、棚板載置部１１と、棚板当接部１２と、傾斜支持部１３とを備える。
【００２１】
棚板載置部１１は、棚板３の底面３ｔ（図４）を支持した状態で棚板３を載置する略長方体状の薄板状部分であり、棚板３の底面３ｔを支持する平坦な上面１１ａ、当該上面１１ａの背中側に位置する下面１１ｂ、互いに対向する側端面１１ｃ、１１ｄ、及び、棚板載置部１１の後側（矢印ｄ方向）に位置する後端面１１ｅとを有する。
【００２２】
また、棚板載置部１１は、前側（矢印ｃ方向）寄りの位置に、下側（矢印ｆ方向）へ向かって突設された軸部材保持部１４を備えている。軸部材保持部１４は、略円筒形状を有し、軸部材２０を嵌合固定した状態で保持するための嵌合孔１４１を備えている。嵌合孔１４１は、軸部材２０の嵌合軸部２１と嵌合する小径孔部と、当該小径孔部と連通し軸部材２０の鍔部２３と係合する拡径孔部とを有する。
【００２３】
さらに、棚板載置部１１には、家具本体２における側板２ｌの内壁面と当接する側端面１１ｄに沿って上面１１ａよりも上側（矢印ｅ方向）へ向かって突出した円弧状の支持板１５を備えている。この支持板１５は、嵌合孔１４１と同心円弧状に形成されており、棚板３の左側（矢印ａ方向）の側端面を当接した状態で支持する部分として機能する。なお、支持板１５は、その一部が傾斜支持部１３にまで延び、当該傾斜支持部１３と一体化されている。
【００２４】
棚板当接部１２は、棚板３の前側（矢印ｃ方向）の端面（以下、これを「前側端面」ともいう。）３ｆと当接する略直方体形状の薄板状部材である。棚板当接部１２は、前面１２ａ、背面１２ｂ、互いに対向する側端面１２ｃ、１２ｄ、及び、互いに対向する上端面１２ｅ及び下端面１２ｆを有する。
【００２５】
棚板当接部１２の前面１２ａ及び背面１２ｂ間の幅ｔ１は、棚板載置部１１の上面１１ａ及び下面１１ｂ間の幅ｔ０よりも薄い。また、棚板当接部１２において、側端面１２ｃと下端面１２ｆとが交差する部分１２ｃｆはＲ面取り加工されている。これは、家具本体２の棚板３に載置される収容物を収納する際、又は、取り出す際に引っ掛かりを生じさせないためである。
【００２６】
棚板当接部１２の下端面１２ｆは、本体部１０の軸部材保持部１４よりも下側（矢印ｆ方向）に位置付けられている。したがって、棚板支持具１ａは、棚板当接部１２の前面１２ａから見た場合、当該前面１２ａにより本体部１０の軸部材保持部１４の存在が隠蔽されることになり、美観に優れるという特徴を有している。なお、棚板当接部１２の上端面１２ｅ及び下端面１２ｆは、当該棚板当接部１２をユーザが指で掴む際の接触面である。
【００２７】
棚板当接部１２において上側（矢印ｅ方向）の端部である上端部には、係止爪１６が形成されている。係止爪１６は、棚板当接部１２の後側（矢印ｄ方向）へ向かって突設された爪状部材であり、棚板３の上側（矢印ｅ方向）の面（以下、これを「上表面」ともいう。）３ｐ（図４参照）と、棚板載置部１１の上面１１ａとの間に棚板３を挟み付けた把持状態で当該棚板３を係止する。この係止爪１６の下端面１６ａは、棚板載置部１１の上面１１ａと略平行に形成されている。また、係止爪１６の先端側には、Ｃ面取りされた面取部１６ｂが形成されている。
【００２８】
傾斜支持部１３は、棚板載置部１１の上面１１ａから前側（矢印ｃ方向）へ向かうにつれて下側（矢印ｆ方向）へ次第に傾斜した薄板状部材であり、棚板載置部１１と棚板当接部１２とを一体に繋ぐ連結部分として機能する。
【００２９】
傾斜支持部１３の上面（矢印ｅ方向）及び下面（矢印ｆ方向）間の厚さｔ２は、棚板載置部１１の上面１１ａ及び下面１１ｂ間の厚さｔ０と略同一である。傾斜支持部１３と棚板当接部１２とをつなぐ接続部分１２１３の接続面は円弧状に形成されており、当該接続部分１２１３は傾斜支持部１３の厚さｔ２よりも僅かに肉厚となっている。
【００３０】
このように本体部１０は、図４に示すように、棚板載置部１１と棚板当接部１２とを接続する傾斜支持部１３において、棚板載置部１１の上面１１ａと係止爪１６の下端面１６ａとの間で棚板３を把持して保持する際、当該棚板３の底面３ｔと傾斜支持部１３との間に断面略三角形状の非接触空間ｓｐｃを形成し得るように構成されている。
【００３１】
＜軸部材の構成＞
次に、図２を参照して、軸部材２０の構成について説明する。軸部材２０は、本体部１０の軸部材保持部１４に形成された嵌合孔１４１に挿入される円柱状の嵌合軸部２１と、家具本体２の側板２ｌ、２ｒの内壁面に形成された挿入孔２ａに挿入される円柱状の挿入軸部２２と、嵌合軸部２１と挿入軸部２２との間に形成され嵌合軸部２１よりも外径の大きい円盤状の鍔部２３とを備えている。なお、嵌合軸部２１及び挿入軸部２２の外形形状は特に限定されず、嵌合孔１４１及び挿入孔２ａの内形形状に合わせて適宜変更可能である。
【００３２】
＜使用方法＞
図１及び図４を参照して、第１実施形態における棚板支持具１ａの使用方法の一例について説明する。家具本体２に棚板３を取り付ける場合、まず、各棚板支持具１ａ、１ｂ、１ｃ、１ｄの挿入軸部２２を家具本体２の側板２ｌ、２ｒの内壁面に形成された同じ高さ位置の４つの挿入孔２ａに挿入する。
【００３３】
そして、棚板支持具１ｃ、１ｄの棚板載置部１１と係止爪１６との間に棚板３の後側（矢印ｄ方向）の端部を把持させた状態で支持した後、棚板支持具１ａ、１ｂの係止爪１６の面取部１６ｂの上に棚板３を載せた状態で上側（矢印ｅ方向）から下側（矢印ｆ方向）へ向かって当該棚板３の前側（矢印ｃ方向）の端部を押す。
【００３４】
このとき、棚板当接部１２が破線から実線で示されたように前側（矢印ｃ方向）へ撓むため、棚板支持具１ａ、１ｂの棚板載置部１１と係止爪１６との間に棚板３を把持させた状態で支持させ、棚板載置部１１に棚板３が載置された状態を保持することができる。この場合、係止爪１６に形成された面取部１６ｂが、棚板３を押す際にガイドの役目を果たすとともに、面取部１６ｂを介して棚板３が棚板当接部１２を前側（矢印ｃ方向）へ押すことになるので、棚板３を円滑に取り付けることができる。
【００３５】
一方、家具本体２から棚板３を取り外す場合、棚板支持具１ａに着目すると、図４に示すように、ユーザは係止爪１６を前側（矢印ｃ方向）へ押すことにより、棚板当接部１２を棚板３から離れるように前側（矢印ｃ方向）へ傾倒させながら撓ませる。
【００３６】
このとき棚板支持具１ａは、傾斜支持部１３の存在により、棚板当接部１２が前側（矢印ｃ方向）へ傾倒しながら撓み易くなっており、かつ、棚板３の底面３ｔと傾斜支持部１３との間に形成された非接触空間ｓｐｃにより当該棚板３との接触面積を低減させている。
【００３７】
これにより棚板支持具１ａは、係止爪１６による棚板３の上表面３ｐに対する係止状態を少ない力で容易に解消することができる。同様の操作を棚板支持具１ｂについても行うことにより、棚板３の前側（矢印ｃ方向）の端部を棚板支持具１ａ、１ｂから取り外し、その状態で棚板３を前側（矢印ｃ方向）へ引っ張れば、家具本体２から棚板３を完全に取り外すことができる。
【００３８】
また、棚板支持具１ａでは、棚板当接部１２の下端面１２ｆが傾斜支持部１３よりも下側（矢印ｆ方向）へ位置しているため、棚板当接部１２の上端面１２ｅ及び下端面１２ｆを作業者の指で挟み易く、棚板当接部１２を容易に撓ませることができる。すなわち棚板支持具１ａは、従来と比較して棚板３を取り外す際の取り扱い性に優れている。
【００３９】
また、棚板支持具１ａでは、棚板当接部１２の下端面１２ｆにおいて、家具本体２の収納空間側に位置する部分１２ｃｆがＲ面取り加工されている。このため、棚板支持具１ａでは、棚板３を取り付ける際及び取り外す際に作業者の手が傷付くことを防止し得るとともに、家具本体２の棚板３に載置される収容物を収納する際、又は、取り出す際であっても当該収容物が破損することを防止することができる。
【００４０】
さらに、棚板載置部１１には、支持板１５が設けられているため、この支持板１５を介して、棚板支持具１ａ全体を家具本体２における側板２ｌ、２ｒの内壁面に対して押接させることができる。これにより、側板２ｌ、２ｒの内壁面に対する棚板支持具１ａの取付状態を安定して維持することができる。
【００４１】
＜実施例＞
第１実施形態の棚板支持具１ａは、図５（Ａ）に示すように、棚板載置部１１と棚板当接部１２との間を連結する傾斜支持部１３を備えている。これに対し、図５（Ｂ）に示すように、従来の棚板支持具１ｚは、棚板支持具１１ｚと、棚板当接部１２ｚとが直接連結され、棚板支持具１ａのような傾斜支持部１３を備えていない。このような本発明の棚板支持具１ａと従来の棚板支持具１ｚとを比較する。
【００４２】
図５（Ａ）及び（Ｂ）に示すように、棚板支持具１ａ及び棚板支持具１ｚにおいて、係止爪１６，１６ｚを太矢印Ａで示す前側（矢印ｃ方向）へ５ｍｍだけ移動させるのに必要な押す力を解析した。
【００４３】
その結果、表１に示すように、棚板支持具１ａでは、１５．２５Ｎ、従来の棚板支持具１ｚでは３０．７Ｎの力が必要であることが分かった。したがって、棚板支持具１ａでは、従来の棚板支持具１ｚよりも棚板当接部１２を少ない力で撓ませることができる。すなわち、家具１００の家具本体２に対して、棚板支持具１ａを用いることにより、家具本体２から棚板３を容易に取り外すことができる。
【００４４】
次に、図５（Ａ）及び（Ｂ）に示すように、係止爪１６の下端面１６ａ及び係止爪１６ｚの下端面１６ｚａに対して太矢印Ｂで示す上側（矢印ｅ方向）へ、２．７ｋｇの重量を有する棚板の５倍の荷重１３．５ｋｇｆが加わった場合を想定し、係止爪１６、１６ｚの変位量を解析した。なお、家具本体２には棚板支持具１ａ〜１ｄが４個設置されるため、１つあたりの係止爪１６、１６ｚに対して加わる荷重は２．７ｋｇｆ×５÷４＝３．３７５ｋｇｆ＝３３Ｎとした。
【００４５】
その結果、表１に示すように、棚板支持具１ａでは、係止爪１６の変位量が０．９７９４ｍｍ、従来の棚板支持具１ｚでは係止爪１６ｚの変位量が０．８６２３ｍｍであり、両者に大差はなかった。したがって、棚板支持具１ａは、従来の棚板支持具１ｚと同等の強度を有することが分かった。すなわち、棚板支持具１ａを家具本体２に装着し、棚板３を載置した状態で逆さにして運搬する場合、棚板３の荷重が係止爪１６の下端面１６ａにかかっても、棚板支持具１ａ〜１ｄにより棚板３を係止した状態を維持することができる。
【００４６】
【表１】
2018094223.tif 000003
【００４７】
このように棚板支持具１ａでは、棚板３の取り外し易さが向上する一方、棚板３を強固に支持することができるという２つの背反する効果を同時に実現することできた。
【００４８】
［第２実施形態］
第２実施形態は、第１実施形態の棚板支持具１ａの本体部１０に改良を加えたものである。図６を参照して、第２実施形態の棚板支持具１ｅについて説明する。なお、第１実施形態の棚板支持具１ａと同様の構成については同一の符号を付して説明を省略する。
【００４９】
図６に示すように、第２実施形態の棚板支持具１ｅは、棚板当接部１２、傾斜支持部１３及び支持板１５と連結された薄板状のリブ１７を備えている。リブ１７は、棚板当接部１２の側端面１２ｄ、傾斜支持部１３の側端面１３ｄ、及び支持板１５の上端縁１５ｅと一体に連結されている。ただし、これに限るものではなく、例えば、リブ１７は、棚板当接部１２の側端面１２ｄ及び傾斜支持部１３の側端面１３ｄと少なくとも連結していればよく、支持板１５の上端縁１５ｅと一体に連結されていなくてもよい。
【００５０】
この棚板支持具１ｅには、棚板当接部１２の側端面１２ｄ及び傾斜支持部１３の側端面１３ｄと少なくとも連結されたリブ１７が設けられているため、棚板当接部１２の撓み量を第１実施形態の棚板支持具１よりも少なくして棚板３を支持する際の強度を向上させることができる。
【００５１】
［第３実施形態］
第３実施形態は、第１実施形態の棚板支持具１ａの棚板当接部１２に改良を加えたものである。図７を参照して、第３実施形態の棚板支持具１ｆについて説明する。図７は第３実施形態の棚板支持具１ｆを右側から見た側面図である。なお、第１実施形態の棚板支持具１ａと同様の構成については同一の符号を付して説明を省略する。
【００５２】
図７に示すように、第３実施形態の棚板支持具１ｆの棚板当接部１８は、第１実施形態の棚板支持具１ａの棚板当接部１２とは異なり、背面１８ｂ（棚板３と当接する当接面）に対して垂直な前後方向（矢印ｃｄ方向）の厚さｔ３、すなわち前面１８ａ及び背面１８ｂ間の厚さｔ３が上側（矢印ｅ方向）から下側（矢印ｆ方向）へ向かって次第に増すような形状を有している。具体的には、棚板当接部１８において棚板当接部１８の背面１８ｂは、棚板載置部１１の上面１１ａに対して垂直に形成されているが、棚板当接部１８の前面１８ａは、上側（矢印ｅ方向）から下側（矢印ｆ方向）へ向かうにつれて背面１８ｂから次第に遠ざかるように形成されている。
【００５３】
第３実施形態の棚板支持具１ｆは、棚板当接部１８の厚さｔ３が上側（矢印ｅ方向）から下側（矢印ｆ方向）へ向かって次第に厚くなるよう形成されている。このため、棚板当接部１８の撓み量を第１実施形態の棚板支持具１よりも少なくして棚板３を支持する際の強度を向上させることができるとともに、棚板３を載置した状態で逆さにして運搬する場合であっても、棚板支持具１ｆにより棚板３を係止した状態を維持することができる。
【００５４】
［他の実施形態］
本発明は上記実施形態において示した態様に限定されるものではなく、例えば、以下のような実施形態も包含するものである。
【００５５】
上述した実施形態においては、傾斜支持部１３の上面（矢印ｅ方向）及び下面（矢印ｆ方向）間の厚さｔ２を、棚板載置部１１の上面１１ａ及び下面１１ｂ間の厚さｔ０と略同一にした場合について述べたが、本発明はこれに限らず、棚板３を開放する際の棚板当接部１２及び傾斜支持部１３の全体の撓み量をどのように設定するかに応じて適宜設定可能である。
【００５６】
また、上述した実施形態においては、棚板当接部１２の下端面１２ｆを、傾斜支持部１３よりも下側（矢印ｆ方向）へ所定距離だけ離れるように位置付けた場合について述べたが、本発明はこれに限らず、傾斜支持部１３から下端面１２ｆまでの距離が離れるほど棚板当接部１２の質量が増大して撓み易くなるため、棚板当接部１２及び傾斜支持部１３の剛性をどのように設定するかに応じて傾斜支持部１３から下端面１２ｆまでの距離を適宜設定することが可能である。
【符号の説明】
【００５７】
１ａ、１ｂ、１ｃ、１ｄ、１ｅ、１ｆ  棚板支持具
２  家具本体
３  棚板
１１  棚板載置部
１２、１８  棚板当接部
１２ｄ  側端面
１３  傾斜支持部
１３ｄ  側端面
１６  係止爪
１７  リブ
１８ｂ  背面（当接面）
【図１】
2018094223.tif 000004
【図２】
2018094223.tif 000005
【図３】
2018094223.tif 000006
【図４】
2018094223.tif 000007
【図５】
2018094223.tif 000008
【図６】
2018094223.tif 000009
【図７】
2018094223.tif 000010